(57)【要約】【課題】電食の発生を抑えるのに有利な筐体の取付構造を提供する。【解決手段】筐体２０の取付構造３０は、ボルト３１に係合する雌ねじ領域３２ａ、及び、雌ねじ領域３２ａの第１ピッチＰ１とは異なる第２ピッチＰ２の雄ねじ領域３２ｂを含む環状の中間部材３２と、貫通穴３４ａ、円筒部３４ｂ、及び、雄ねじ領域３２ｂと係合する雌ねじ部３４ｃを有する第１ナット３４と、第２ナット３６と、第１パッキン３３と、第２パッキン３５とを有する。円筒部３４ｂの外径Ｄ６は、取付穴２０ｃの開口径Ｄ１よりも小さい。第１ナット３４の雌ねじ部３４ｃの少なくとも一部は、第１ナット３４の中心軸に対して垂直な方向で円筒部３４ｂと重なる。第１ナット３４及び筐体２０の材質は、互いに同種で、かつ、ボルト３１又は第２ナット３６の材質とは異種の金属である。中間部材３２の材質は、樹脂である。【選択図】図３
2020087568.tif 000002
【特許請求の範囲】
【請求項１】
取付穴を有する筐体を被取付部に取り付ける構造であって、
前記被取付部の側に支持され、前記取付穴を貫通するボルトと、
前記ボルトに係合する雌ねじ領域、及び、該雌ねじ領域の第１ピッチとは異なる第２ピッチの雄ねじ領域を含む環状の中間部材と、
前記ボルトを貫通させる貫通穴、前記ボルトを進入させる側に形成された円筒部、及び、前記中間部材の前記雄ねじ領域と係合する雌ねじ部を有する第１ナットと、
前記ボルトに係合する第２ナットと、
前記筐体と前記第１ナットとに接触する環状の第１パッキンと、
前記第１ナットと前記第２ナットとに接触する環状の第２パッキンと、
を有し、
前記円筒部の外径は、前記取付穴の開口径よりも小さく、
前記第１ナットの前記雌ねじ部の少なくとも一部は、前記第１ナットの中心軸に対して垂直な方向で前記円筒部と重なり、
前記第１ナット及び前記筐体の材質は、互いに同種で、かつ、前記ボルト又は前記第２ナットの材質とは異種の金属であり、
前記中間部材の材質は、樹脂である、
前記筐体の取付構造。
【請求項２】
前記第１ナット及び前記筐体の材質は、アルミニウム合金である、請求項１に記載の前記筐体の取付構造。
【請求項３】
前記ボルト又は前記第２ナットの材質は、ステンレス鋼である、請求項１又は２に記載の前記筐体の取付構造。
【請求項４】
光源と、
前記光源を含む照明器具本体と、
前記照明器具本体を支持する筐体と、
前記筐体を取り付ける被取付部と、
請求項１乃至３のいずれか１項に記載の前記筐体の取付構造と、
を有する照明器具。
【請求項５】
筐体と、
前記筐体を取り付ける被取付部と、
請求項１乃至３のいずれか１項に記載の前記筐体の取付構造と、
を有する電気機器。
【発明の詳細な説明】
【技術分野】
【０００１】
本開示は、筐体の取付構造、照明器具及び電気機器に関する。
【背景技術】
【０００２】
従来、電気機器の一例として、建物等の壁部に設置される照明器具がある。このような照明器具は、一般に、壁部に固定されるフランジ部を有する。フランジ部は、照明器具本体を支持する筐体を含む。ここで、筐体は、直接的に壁部に取り付けられる場合もあり得るが、被取付部としての取付板を介して壁部に取り付けられることが多い。このとき、筐体は、取付板から突出しているボルトに支持され、ナット等を用いて締結されることで、取付板に取り付けられる。このような筐体の取り付けに用いることが可能な締結装置として、特許文献１は、座金の一部に樹脂製のパッキンを設けることで、ボルトの軸部の挿入を容易にする締結装置を開示している。
【０００３】
一般に、照明器具を建築物等に設置するときに用いられるボルト、ナット又は座金は、強度や耐腐食性等の観点から、ステンレス鋼製であることが多い。一方、建築物等に設置される照明器具の筐体には、建築物等の内装又は外装に合わせた装飾が施されている場合がある。この場合、筐体は、加工の容易性や軽量化等の観点から、アルミニウム合金製であることが多い。
【先行技術文献】
【特許文献】
【０００４】
【特許文献１】実開平５−８７３２０号公報
【発明の概要】
【発明が解決しようとする課題】
【０００５】
例えば、特許文献１に開示されている締結装置に含まれるボルト、ナット又は座金がステンレス鋼製であり、この締結装置を用いて、アルミニウム合金製である照明器具の筐体を壁部に取り付ける場合を考える。この場合、筐体の外部側から締結するナット又は座金は、筐体の表面を押し付けることになる。また、場合によっては、ボルトの一部が、筐体の取付穴の側面と接触することもあり得る。つまり、このような取付構造では、ステンレス鋼とアルミニウム合金との異種の金属材料同士が接触する部分が発生する。このとき、ナットと筐体との間に雨水等の水分が浸入したとすると、異種の金属材料同士が接触している部分にも水分が到達し、その水分に起因して電食が発生するおそれがある。
【０００６】
本開示は、このような従来技術の有する課題に鑑みてなされたものである。そして、本開示の目的は、電食の発生を抑えるのに有利な筐体の取付構造、照明器具及び電気機器を提供することにある。
【課題を解決するための手段】
【０００７】
上記課題を解決するために、本開示の態様に係る筐体の取付構造は、取付穴を有する筐体を被取付部に取り付ける構造であって、被取付部の側に支持され、取付穴を貫通するボルトと、ボルトに係合する雌ねじ領域、及び、該雌ねじ領域の第１ピッチとは異なる第２ピッチの雄ねじ領域を含む環状の中間部材と、ボルトを貫通させる貫通穴、ボルトを進入させる側に形成された円筒部、及び、中間部材の雄ねじ領域と係合する雌ねじ部を有する第１ナットと、ボルトに係合する第２ナットと、筐体と第１ナットとに接触する環状の第１パッキンと、第１ナットと第２ナットとに接触する環状の第２パッキンと、を有し、円筒部の外径は、取付穴の開口径よりも小さく、第１ナットの雌ねじ部の少なくとも一部は、第１ナットの中心軸に対して垂直な方向で円筒部と重なり、第１ナット及び筐体の材質は、互いに同種で、かつ、ボルト又は第２ナットの材質とは異種の金属であり、中間部材の材質は、樹脂である。
【０００８】
また、本開示の態様に係る照明器具は、光源と、光源を含む照明器具本体と、照明器具本体を支持する筐体と、筐体を取り付ける被取付部と、上記の筐体の取付構造と、を有する。
【０００９】
さらに、本開示の態様に係る電気機器は、筐体と、筐体を取り付ける被取付部と、上記の筐体の取付構造と、を有する。
【発明の効果】
【００１０】
本開示によれば、電食の発生を抑えるのに有利な筐体の取付構造、照明器具及び電気機器を提供することができる。
【図面の簡単な説明】
【００１１】
【図１】本開示の実施形態に係る照明器具の構成を示す図である。
【図２】本開示の実施形態におけるフランジ部の構成を示す図である。
【図３】本開示の実施形態に係る筐体の取付構造を示す図である。
【発明を実施するための形態】
【００１２】
以下、実施形態について図面を参照しつつ詳細に説明する。以下の説明では、一例として、鉛直方向をＺ方向と規定する。また、Ｚ方向に対して垂直となる平面内で互いに垂直となる２方向をＸ方向及びＹ方向と規定する。特に、Ｙ方向は、以下で例示する照明器具が設置される壁面に沿った方向である。
【００１３】
図１は、本実施形態に係る照明器具１０の構成を示す側面図である。照明器具１０は、例えば、光源１１がおおよそＺ方向とは反対側に相当する上向きとなるように、建物等の壁部１００に設置される。なお、照明器具１０の設置場所は、屋外・屋内を問わない。照明器具１０は、光源１１と、照明器具本体１２と、フランジ部１３とを備える。
【００１４】
光源１１は、例えばＬＥＤ（発光ダイオード）電球である。照明器具本体１２は、光源１１を接続するソケット１６を含み、光源１１を点灯させる。照明器具本体１２は、風雨から光源１１を保護したり、光源１１からの射出光を好適に拡散させたりするために、光源１１の全体を包み込むように覆う球体状の電球カバー１７を備える。電球カバー１７は、例えば乳白色のアクリル製である。照明器具本体１２は、例えば、ソケット１６や電球カバー１７等を支持する台座部１２ａと、一方の端部の上面で台座部１２ａを固定し、他方の端部をフランジ部１３に接続するアーム部１２ｂとを含むものとしてもよい。台座部１２ａ及びアーム部１２ｂの材質は、金属であり、例えば、アルミニウム合金である。台座部１２ａ及びアーム部１２ｂは、アルミニウム合金を材料として鋳型で製作されてもよい。また、台座部１２ａ及びアーム部１２ｂには、様々な装飾が施されていてもよい。アーム部１２ｂの内部は、不図示であるが、台座部１２ａからフランジ部１３までに至る第１空間領域Ｓ１（図２（ｂ）参照）を含む。ソケット１６に接続されている電気配線１９や、不図示の漏電防止用のアース線などは、第１空間領域Ｓ１を通じて、壁部１００側に配索される（図２（ｂ）参照）。
【００１５】
図２は、フランジ部１３の構成を示す図である。図２（ａ）は、図１のＩＩＡ−ＩＩＡ断面に相当する。具体的には、図２（ａ）は、フランジ部１３をＸ方向に沿って照明器具本体１２側から見た平面図である。図２（ｂ）は、図２（ａ）のＩＩＢ−ＩＩＢ断面に相当する。具体的には、図２（ｂ）は、フランジ部１３の平面中心を通るように、フランジ部１３、及び、アーム部１２ｂの一部等を切断した図である。
【００１６】
フランジ部１３は、照明器具１０を壁部１００に取り付けるためのユニットである。フランジ部１３は、筐体２０と、取付板２２と、スペーサー２３と、筐体２０の取付構造３０とを有する。
【００１７】
筐体２０は、壁部１００に面する側が開放された形状を有する。筐体２０の材質は、金属であり、例えばアルミニウム合金である。筐体２０は、アルミニウム合金を材料として鋳型で製作されてもよい。筐体２０は、平板部２０ａと、側部２０ｂとを含む。
【００１８】
平板部２０ａは、壁部１００に対向し、かつ、アーム部１２ｂが連接される。平板部２０ａの形状は、筐体２０の重心位置Ｐを基準とした円形である。ただし、平板部２０ａの形状は、矩形又はその他装飾が施された異形であってもよい。側部２０ｂの形状は、Ｘ方向に沿った幅Ｗを有する円筒である。ただし、側部２０ｂの形状は、装飾が施された異形であってもよい。平板部２０ａとアーム部１２ｂとの接続方法は、特に限定するものではないが、強度や防水性を考慮し、溶接とすることが望ましい。また、気密性又は水密性を向上させるために、連接部にはコーキングが施されていてもよい。
【００１９】
また、平板部２０ａには、取付構造３０の一部が貫通する複数の取付穴２０ｃ（図３参照）を有する。取付穴２０ｃは、例えば、重心位置Ｐを基準として、半径Ｒ１の距離で、かつ、Ｚ方向に沿って対称に２つ有する。ただし、半径Ｒ１の値や取付穴２０ｃの設置数などは、適宜変更可能である。さらに、平板部２０ａには、アーム部１２ｂ内の第１空間領域Ｓ１にある電気配線１９を、筐体２０内の第２空間領域Ｓ２内に配索させるために貫通させる貫通穴２０ｄが形成されている。
【００２０】
取付板２２は、フランジ部１３を壁部１００に固定させるために、筐体２０を取り付けて、かつ、壁部に取り付けられる被取付部である。取付板２２は、筐体２０に内包される形状を有する。平板部２０ａが円形であるので、取付板２２も円板とし得る。取付板２２の材質は、金属であり、例えばステンレス鋼である。取付板２２は、例えば、以下のような３種類の貫通穴を有する。
【００２１】
第１の貫通穴は、不図示であるが、取付板２２の固定用として、壁部１００側からねじの先端部が突出する壁側ボルト１０２を貫通させる。取付板２２は、一例として、このような第１の貫通穴を、取付板２２の重心位置Ｐを基準として、半径Ｒ２の距離で、かつ、Ｙ方向に沿って対称に２つ有する。なお、本実施形態では、便宜上、筐体２０の重心位置Ｐと取付板２２の重心位置Ｐとが、Ｘ方向に沿って並んでいるものとし、同一の符号を付す。作業者が、第１の貫通穴に壁側ボルト１０２を貫通させた後、ナット１０４等を用いて締結することで、取付板２２が壁部１００側に取り付けられる。なお、照明器具１０が壁部１００に設置されている状態では、壁側ボルト１０２及びナット１０４等は、筐体２０内の第２空間領域Ｓ２内に存在するため、外部からは視認されない。
【００２２】
第２の貫通穴２２ａは、筐体２０の固定用として、取付構造３０の一部を貫通させる。上記のとおり、筐体２０の平板部２０ａには、同様に取付構造３０の一部を貫通させる２つの取付穴２０ｃが形成されている。それに伴い、第２の貫通穴も、これらの取付穴２０ｃに対応する位置、すなわち、重心位置Ｐを基準として、半径Ｒ１の距離で、かつ、Ｚ方向に沿って対称に２つ有する。
【００２３】
第３の貫通穴２２ｂは、電気配線１９をフランジ部１３側から壁部１００側へ貫通させる。第３の貫通穴２２ｂは、例えば、取付板２２の中央部に形成される。
【００２４】
スペーサー２３は、筐体２０に対する取付板２２の位置を規定する部材である。スペーサー２３は、例えばステンレス鋼管である。スペーサー２３がこのような金属管である場合、スペーサー２３の一方の開口端は、筐体２０の平板部２０ａの裏面に接触し、他方の開口端は、取付板２２の表面に接触する。つまり、取付板２２は、スペーサー２３の全長分、平板部２０ａの裏面から離間する。ここで、スペーサー２３の全長は、最終的に筐体２０を壁部１００に取り付けたときに、筐体２０の側部２０ｂの端部とパッキンシート２６とが雨水等の水分の浸入を抑止できる程度に密に接触可能となるように規定される。また、最終的に筐体２０を壁部１００に取り付けたときには、筐体２０が許容範囲以上の変形を生じさせることがないようにすることが望ましい。
【００２５】
スペーサー２３は、例えば、図２（ｂ）に示すように、複数の取付構造３０のそれぞれに合わせて設置される。複数のスペーサー２３は、それぞれ、対応する取付構造３０に含まれるボルト３１を貫通させる。このような構成によれば、スペーサー２３は、取付構造３０による締結に伴って、平板部２０ａの裏面と取付板２２の表面とに挟み込まれて、筐体２０に対して固定される。
【００２６】
図３は、取付構造３０の構成を示す断面図である。図３（ａ）には、各構成要素を組み合わせる前の取付構造３０が示されている。図３（ｂ）には、各構成要素を組み合わせた後の取付構造３０が示されている。本実施形態では、取付構造３０は、図２に示すように２つ存在し、すべての取付構造３０の構成は、同一である。そこで、以下、１つの取付構造３０について例示する。
【００２７】
取付構造３０は、取付板２２に筐体２０を取り付けるための構造である。取付構造３０は、ボルト３１と、中間部材３２と、第１パッキン３３と、第１ナット３４と、第２パッキン３５と、第２ナット３６とを含む。筐体２０の内側では、ボルト３１が、根元部が壁部１００側に支持された状態で、先端部が取付穴２０ｃに向かうように配置されている。この状態にあるボルト３１の軸方向は、Ｘ方向と平行であり、取付構造３０に含まれる各構成要素の取付方向となる。一方、筐体２０の外側では、ボルト３１の軸方向に沿って取付穴２０ｃの側から順に、中間部材３２、第１パッキン３３、第１ナット３４、第２パッキン３５及び第２ナット３６が並ぶ。ここで、ボルト３１のねじ部の外径をＤ０と規定する。取付穴２０ｃの開口径をＤ１と規定する。また、平板部２０ａの厚さをＴ１と規定する。
【００２８】
ボルト３１は、取付板２２に形成されている第２の貫通穴２２ａに支持されている。ボルト３１のねじ部の長さは、筐体２０の側部２０ｂの幅Ｗよりも長い。ボルト３１のねじ部は、壁部１００側から第２の貫通穴２２ａに挿入される。ボルト３１の頭部は、図２（ｂ）に示すように、壁部１００側から取付板２２に接触する。したがって、ボルト３１が取付板２２に支持されている状態では、ボルト３１のねじ部は、取付板２２から平板部２０ａに向かって立設された姿勢となる。
【００２９】
中間部材３２は、内周面がボルト３１のねじ部に係合する雌ねじ領域３２ａであり、外周面が雌ねじ領域３２ａの第１ピッチＰ１とは異なる第２ピッチＰ２の雄ねじ領域３２ｂである環状の部材である。ここで、中間部材３２の外径をＤ２と規定する。また、中間部材３２の厚さをＴ２と規定する。中間部材３２の大きさの一例として、ボルト３１のサイズがＪＩＳ規格及びＩＳＯ規格に準拠するＭ６である場合、雄ねじ領域３２ｂのサイズをＭ１６とし得る。つまり、この場合、第１ピッチＰ１は、Ｍ６サイズに適合するピッチ寸法となる。また、第２ピッチＰ２は、Ｍ１６サイズに適合するピッチ寸法となる。
【００３０】
また、中間部材３２の材質は、樹脂である。中間部材３２の材質として採用可能な樹脂としては、例えば、ＰＣ、ＰＴＦＥ、ＰＥＥＫ、ＰＰＳ又はＰＰが挙げられる。ここで、ＰＣは、ポリカーボネートの略語である。ＰＴＦＥは、ポリテトラフルオロエチレンの略語である。ＰＥＥＫは、ポリエーテルエーテルケトンの略語である。ＰＰＳは、ポリフェニレンサルファイドの略語である。ＰＰは、ポリプロピレンの略語である。
【００３１】
第１パッキン３３は、筐体２０の平板部２０ａの表面と第１ナット３４との間から取付穴２０ｃへの雨水等の水分の浸入を抑える。第１パッキン３３は、例えば、シリコン等の弾性部材で構成される環状部材である。ここで、第１パッキン３３の外径をＤ３と規定する。外径Ｄ３は、取付穴２０ｃの開口径Ｄ１よりも大きい。また、第１パッキン３３の内径をＤ４と規定する。なお、第１パッキン３３の外形は、水分の浸入を抑止可能な範囲であれば、環状に限定されない。
【００３２】
第１ナット３４は、対角距離ｅが取付穴２０ｃの開口径Ｄ１よりも大きく、かつ、厚みがＴ３と規定されたナットである。ただし、第１ナット３４の形状は、全体として一般的なナット形状ではなく、具体的には、以下のような条件を満たす形状となっている。
【００３３】
まず、第１ナット３４は、ボルト３１を貫通させる貫通穴３４ａを有する。ここで、貫通穴３４ａの開口径をＤ５と規定する。開口径Ｄ５は、ボルト３１のねじ部の外径Ｄ０よりも大きく、かつ、中間部材３２の外径Ｄ２よりも小さい。
【００３４】
また、第１ナット３４は、中心軸方向におけるボルト３１を進入させる側に、円筒部３４ｂを有する。ここで、円筒部３４ｂの外径をＤ６と規定する。外径Ｄ６は、取付穴２０ｃの開口径Ｄ１よりも小さい。第１パッキン３３の内径Ｄ４は、外径Ｄ６と同等である。また、円筒部３４ｂの厚さをＴ４と規定する。厚さＴ４は、第１ナット３４の厚みＴ３よりも短い。また、厚みＴ４は、取付穴２０ｃの側面の少なくとも一部が円筒部３４ｂの外周面と接触可能な程度の寸法を有する。
【００３５】
また、第１ナット３４は、中心軸方向におけるボルト３１を進入させる側に、中間部材３２の雄ねじ領域３２ｂと係合する雌ねじ部３４ｃを有する。ここで、雌ねじ部３４ｃの深さをＴ５と規定する。深さＴ５は、第１ナット３４の厚みＴ３よりも短い。例えば、深さＴ５は、中間部材３２の厚さＴ２と同等であってもよい。また、雌ねじ部３４ｃの少なくとも一部は、第１ナット３４の中心軸に対して垂直な方向において円筒部３４ｂと重なる。ここで、第１ナット３４の中心軸に対して垂直な方向とは、例えば、中心軸がＸ方向に沿っている場合には、ＹＺ平面上でいずれかに向かう方向をいう。
【００３６】
さらに、第１ナット３４の材質は、筐体２０の材質と同種である。例えば、筐体２０の材質がアルミニウム合金である場合には、第１ナット３４の材質も同種のアルミニウム合金とすることが望ましい。ここで、「同種」とは、例えばアルミニウム合金では、互いに同様のアルミニウム系の合金であるものの、厳密には配合されている成分が若干異なるものも包含し得ることを意味している。
【００３７】
第２パッキン３５は、第１ナット３４と第２ナット３６との間からボルト３１への雨水等の水分の浸入を抑える。第２パッキン３５は、例えば、シリコン等の弾性部材で構成される環状部材である。ここで、第２パッキン３５の外径をＤ７と規定する。外径Ｄ７は、第２ナット３６の対角距離と同等としてもよい。また、第２パッキン３５の内径をＤ８と規定する。内径Ｄ８は、ボルト３１のねじ部の外径Ｄ０よりも大きい。本実施形態における内径Ｄ８は、一例として、第１ナット３４の貫通穴３４ａの開口径Ｄ５と同等である。なお、第２パッキン３５の外形は、水分の浸入を抑止可能な範囲であれば、環状に限定されない。
【００３８】
第２ナット３６は、第２パッキン３５の貫通穴を貫通してきたボルト３１の先端部に係合する。第２ナット３６は、外観上、又は、腐食等の抑止の観点から、いわゆる袋ナットであることが望ましい。なお、本実施形態における第２ナット３６の形状は、一般的なドーム形の覆い部分を有する形状ではなく、一例として、平形の覆い部分を有する特殊な形状を採用している。第２ナット３６の形状は、このような特殊形状に限らず、装飾が施されたものであってもよい。また、第２ナット３６の材質は、一般的なナットと同様に、ステンレス鋼である。
【００３９】
さらに、照明器具１０は、フランジ部１３を壁部１００に取り付ける際に、取付板２２と壁部１００との間に介在させるパッキンシート２６を有する。パッキンシート２６は、筐体２０と壁部１００との間の隙間を通じた筐体２０の外側から内側への雨水等の水分の浸入を抑える。パッキンシート２６は、例えば、シリコン等の弾性部材で構成される。パッキンシート２６の外径は、筐体２０の側部２０ｂの外径よりも大きい。パッキンシート２６は、例えば、以下のような３種類の貫通穴を有する。
【００４０】
第１の貫通穴２６ａは、パッキンシート２６と取付板２２とが重ね合わされているときに、取付板２２に支持されている複数のボルト３１の頭部を収容する。そのため、第１の貫通穴２６ａは、パッキンシート２６上に取付板２２が接触しているときに、取付板２２の第２の貫通穴２２ａに隣り合う位置に形成される。第１の貫通穴２６ａがボルト３１の頭部を収容可能とするために、パッキンシート２６の厚さＴ６は、フランジ部１３を壁部１００に取り付けた際の潰れ代を考慮した上で、ボルト３１の頭部の高さよりも大きいことが望ましい。
【００４１】
第２の貫通穴は、不図示であるが、取付板２２の固定用として、壁部１００側からねじの先端部が突出する壁側ボルト１０２を貫通させる。そのため、第２の貫通穴は、パッキンシート２６上に取付板２２が接触しているときに、取付板２２の第１の貫通穴に隣り合う位置に形成される。
【００４２】
第３の貫通穴２６ｂは、取付板２２の第３の貫通穴２２ｂを貫通してきた電気配線１９を、さらに壁部１００側へ貫通させる。そのため、第３の貫通穴２６ｂは、パッキンシート２６上に取付板２２が接触しているときに、取付板２２の第３の貫通穴２２ｂに隣り合う位置に形成される。
【００４３】
次に、筐体２０の取付構造３０を用いた照明器具１０の設置について説明する。以下、照明器具本体１２は、すでに組み立てられているものとする。また、筐体２０は、すでにアーム部１２ｂに接続されているものとする。
【００４４】
まず、作業者は、取付板２２に２つのボルト３１を支持させておく。次に、作業者は、壁部１００の適切な位置に、壁部１００の壁面と取付板２２との間にパッキンシート２６を挟んだ状態で、取付板２２を壁部１００に取り付ける。このとき、作業者は、壁部１００から突出している壁側ボルト１０２を、パッキンシート２６の第２の貫通穴と、取付板２２の第１の貫通穴とを貫通させ、ナット１０４等を用いて締結させる。これにより、取付板２２が壁部１００に取り付けられ、取付構造３０の一部である２つのボルト３１が取付板２２側から突出している状態となる。作業者は、突出している２つのボルト３１のそれぞれに、スペーサー２３を係合させておく。
【００４５】
ここで、作業者は、筐体２０の仮設置の前に、第１ナット３４の雌ねじ部３４ｃに中間部材３２の雄ねじ領域３２ｂを係合させることで、第１ナット３４に中間部材３２を保持させる。併せて、作業者は、第１パッキン３３の貫通穴に第１ナット３４の円筒部３４ｂを貫通させることで、第１パッキン３３を第１ナット３４に保持させる。
【００４６】
次に、作業者は、すべてのボルト３１のねじ部の一部を、筐体２０に形成されている２つの取付穴２０ｃのそれぞれに貫通させることで、取付板２２に対して筐体２０を仮設置する。
【００４７】
次に、作業者は、２つの取付穴２０ｃから突出しているボルト３１のねじ部のそれぞれに、円筒部３４ｂが形成されている側から、中間部材３２及び第１パッキン３３を保持した第１ナット３４を係合させる。このとき、ボルト３１のねじ部と係合する部分、すなわち、ボルト３１と接触する部分は、中間部材３２の雌ねじ領域３２ａである。つまり、第１ナット３４自体は、ボルト３１と接触しない。ここで、円筒部３４ｂの外径Ｄ６は、取付穴２０ｃの開口径Ｄ１よりも小さいので、作業者が第１ナット３４を回転させながら係合作業を続けると、円筒部３４ｂの少なくとも一部は、取付穴２０ｃの内部に入り込む。そして、第１パッキン３３の外径Ｄ３は、取付穴２０ｃの開口径Ｄ１よりも大きいので、最終的に、第１ナット３４は、第１パッキン３３の表面が筐体２０の表面に接触したところで停止する。
【００４８】
次に、作業者は、第１ナット３４の貫通穴３４ａから外部に突出しているボルト３１のねじ部の先端部を第２パッキン３５の貫通穴に貫通させることで、第２パッキン３５をボルト３１に係合させる。
【００４９】
そして、作業者は、すべての第２ナット３６をボルト３１に対して締め付けることで、筐体２０が取付板２２に対して強固に取り付けられる。これにより、照明器具１０の壁部１００への設置が完了する。
【００５０】
次に、筐体２０の取付構造３０及び照明器具１０の作用及び効果について説明する。
【００５１】
まず、本実施形態に係る取付構造３０は、取付穴２０ｃを有する筐体２０を、被取付部である例えば取付板２２に取り付ける構造である。取付構造３０は、被取付部の側に支持され、取付穴２０ｃを貫通するボルト３１を有する。取付構造３０は、ボルト３１に係合する雌ねじ領域３２ａ、及び、雌ねじ領域３２ａの第１ピッチＰ１とは異なる第２ピッチＰ２の雄ねじ領域３２ｂを含む環状の中間部材３２を有する。取付構造３０は、ボルト３１を貫通させる貫通穴３４ａ、ボルト３１を進入させる側に形成された円筒部３４ｂ、及び、中間部材３２の雄ねじ領域３２ｂと係合する雌ねじ部３４ｃを有する第１ナット３４を有する。また、取付構造３０は、ボルト３１に係合する第２ナット３６と、筐体２０と第１ナット３４とに接触する環状の第１パッキン３３と、第１ナット３４と第２ナット３６とに接触する環状の第２パッキン３５とを有する。円筒部３４ｂの外径Ｄ６は、取付穴２０ｃの開口径Ｄ１よりも小さい。第１ナット３４の雌ねじ部３４ｃの少なくとも一部は、第１ナット３４の中心軸に対して垂直な方向で円筒部３４ｂと重なる。第１ナット３４及び筐体２０の材質は、互いに同種で、かつ、ボルト３１又は第２ナット３６の材質とは異種の金属である。また、中間部材３２の材質は、樹脂である。
【００５２】
ここで、上記の条件を満足する材質として、第１ナット３４及び筐体２０の材質がアルミニウム合金であるものとする。一方、ボルト３１又は第２ナット３６の材質がステンレス鋼であるものとする。
【００５３】
まず、上記の構成によれば、取付構造３０において、筐体２０と接触する、又は、筐体２０と接触する可能性がある構成要素は、第１パッキン３３及び第１ナット３４である。ここで、円筒部３４ｂの外径Ｄ６は、取付穴２０ｃの開口径Ｄ１よりも小さいので、取付構造３０による締結がなされている状態では、円筒部３４ｂの少なくとも一部が取付穴２０ｃの内部に入り込む。このとき、取付穴２０ｃの開口中心が、おおよそボルト３１の中心軸上にある場合には、取付穴２０ｃは、円筒部３４ｂと接触しない。これに対して、筐体２０が、例えば、装飾が施され、アルミニウム合金を材料として鋳型で製作されるものである場合には、自重により、Ｚ方向に沿って、すなわち、鉛直方向下方に向かって下がることもあり得る。そして、筐体２０が、図３（ｂ）に示すように、取付穴２０ｃの鉛直方向上端領域で円筒部３４ｂと接触することもあり得る。しかし、本実施形態では、第１ナット３４の材質は、筐体２０の材質と同種のアルミニウム合金である。また、第１ナット３４と筐体２０との間は、第１パッキン３３により、外部からの水分の浸入が抑えられている。したがって、第１ナット３４と筐体２０との接触部では、電食の発生が抑えられている。
【００５４】
また、上記の構成によれば、第１ナット３４は、樹脂製の中間部材３２を介してボルト３１に支持されている。なお、第１ナット３４の内部を貫通するボルト３１のうち、中間部材３２の雌ねじ領域３２ａと接触していない部分については貫通穴３４ａを通過するため、第１ナット３４とボルト３１との金属部分同士では接触しない。一方、第１ナット３４は、最終的に第２ナット３６のボルト３１に対する締結により固定されるが、第１ナット３４と第２ナット３６との間には第２パッキン３５が介在している。つまり、本実施形態では、第１ナット３４は、ステンレス鋼製のボルト３１及び第２ナット３６とは接触しない。また、第１ナット３４と第２ナット３６との間では、第２パッキン３５により、外部からの水分の浸入が抑えられている。したがって、第１ナット３４と、ボルト３１又は第２ナット３６との間では、電食の発生が抑えられている。
【００５５】
このように、取付構造３０では、異種金属同士の例えばアルミニウム合金とステンレス鋼とが接触する部位が存在しない。そのため、取付構造３０は、結果として、電食の発生が考えられる部位を排除した構成となっている。
【００５６】
したがって、本実施形態によれば、電食の発生を抑えるのに有利な筐体２０の取付構造３０を提供することができる。
【００５７】
また、取付構造３０では、１つのボルト３１に対して、第１ナット３４と第２ナット３６との２つのナットを用いて締結することで、筐体２０を固定する。つまり、取付構造３０による締結には、いわゆるダブルナット効果が生じる。したがって、取付構造３０によれば、第１ナット３４又は第２ナット３６の緩みを抑えることができる。
【００５８】
また、筐体２０の平板部２０ａの厚さＴ１は、上記のように筐体２０が鋳型で製作されるようなものである場合には、１０ｍｍ程度となることもある。この場合、円筒部３４ｂは、平板部２０ａの厚さＴ１分をもって筐体２０と接触することもあり得る。ここで、第１ナット３４の雌ねじ部３４ｃの少なくとも一部が、第１ナット３４の中心軸に対して垂直な方向で円筒部３４ｂと重なるものとする。このとき、筐体２０と円筒部３４ｂとの接触部の直下には、図３（ｂ）に示すように、中間部材３２の雄ねじ領域３２ｂと第１ナット３４の雌ねじ部３４ｃとの係合部分の少なくとも一部が位置する。同様に、筐体２０と円筒部３４ｂとの接触部の直下には、中間部材３２の雌ねじ領域３２ａとボルト３１のねじ部との係合部分の少なくとも一部が位置する。つまり、これらの係合部分には、筐体２０の自重がかかるため、回転しづらくなる。したがって、取付構造３０によれば、第１ナット３４又は第２ナット３６の緩みを抑えることができる。
【００５９】
さらに、中間部材３２において、雌ねじ領域３２ａの第１ピッチＰ１と、雄ねじ領域３２ｂの第２ピッチＰ２とが、互いに異なる。つまり、ピッチごとに緩みを生じさせる振動数は異なるので、ボルト３１に対する中間部材３２の緩みと、中間部材３２に対する第１ナット３４の緩みとが、同時に生じることを抑えることができる。したがって、取付構造３０によれば、結果として、第１ナット３４又は第２ナット３６の緩みを抑えることができる。
【００６０】
なお、上記の例示では、第１ナット３４及び筐体２０の材質をアルミニウム合金と、一方、ボルト３１及び第２ナット３６の材質をステンレス鋼とした。しかし、本開示では、これらの材質に限定されない。特に、第１ナット３４及び筐体２０の材質は、互いに同種で、かつ、ボルト３１又は第２ナット３６の材質とは異種の金属であるとの条件のもと、電食を発生し得る金属材料であれば、採用することが可能となる。
【００６１】
また、本実施形態に係る照明器具１０は、光源１１と、光源１１を含む照明器具本体１２と、照明器具本体１２を支持する筐体２０と、筐体２０を取り付ける取付板２２と、上記の筐体２０の取付構造３０とを有する。
【００６２】
本実施形態に係る照明器具１０によれば、上記の取付構造３０により奏する効果を実現可能な照明器具１０を提供することができる。
【００６３】
なお、上記の実施形態では、筐体２０の取付構造３０が照明器具１０に用いられるものとして説明した。しかし、本開示の取付構造は、筐体と、筐体を取り付ける被取付部とを有する電気機器にも採用可能である。本開示の取付構造は、例えば防水構造を備える必要がある筐体を有する電気機器全般に、特に有効となり得る。
【００６４】
以上、好ましい実施形態について説明したが、本実施形態は、これ限定されず、その要旨の範囲内で種々の変形及び変更が可能である。
【符号の説明】
【００６５】
１０    照明器具
２０    筐体
２０ｃ  取付穴
２２    取付板
３０    取付構造
３１    ボルト
３２    中間部材
３２ａ  雌ねじ領域
３２ｂ  雄ねじ領域
３３    第１パッキン
３４    第１ナット
３４ａ  貫通穴
３４ｂ  円筒部
３４ｃ  雌ねじ部
３５    第２パッキン
３６    第２ナット
Ｄ１    取付穴の開口径
Ｄ６    円筒部の外径
Ｐ１    第１ピッチ
Ｐ２    第２ピッチ
【図１】
2020087568.tif 000003
【図２】
2020087568.tif 000004
【図３】
2020087568.tif 000005